(57)【要約】【課題】使用時に溶質を溶かすことが可能な容器を提供する。【解決手段】容器本体３の上端に形成される口部Ｏと、その口部Ｏを覆う保持部材１２と、その保持部材１２上に載置された固形のお茶エキス（溶質）４と、保持部材１２に当接してその保持部材１２を破壊する押込パーツ（破壊部材）１３とを備える。【選択図】図１
2007001651.tif 000002
【特許請求の範囲】
【請求項１】
溶媒を貯留した容器であって、
容器本体の上端に形成される口部と、該口部を覆う保持部材と、該保持部材上に載置された溶質と、前記保持部材に当接して該保持部材を破壊する破壊部材とを備えることを特徴とする、容器。
【請求項２】
前記保持部材に連続して上方に向かって設けられるとともに外周に雄ネジの形成された円筒部と、該円筒部の雄ネジに係合する雌ネジが内側面に形成されたキャップとを備え、
前記破壊部材は、該破壊部材の上端が前記キャップの天面内側に当接可能であるとともに、前記破壊部材の下端が前記保持部材に当接可能に備えられることを特徴とする、請求項１に記載の容器。
【請求項３】
前記キャップの縁部に前記キャップの回転を阻止するためのスペーサが剥離自在に設けられることを特徴とする、請求項２に記載の容器。
【請求項４】
前記破壊部材が、下端を斜切りにした円筒と、該円筒の上端を覆う押当板とを備えることを特徴とする、請求項３に記載の容器。
【発明の詳細な説明】
【技術分野】
【０００１】
本発明は、例えば飲料水などの溶媒と、液状または固形もしくは半固形のお茶エキスなどの溶質とを分離して貯留した容器に関する。
【背景技術】
【０００２】
従来、お茶飲料のペットボトル（容器）は、お茶エキスが飲料水に溶けた状態で容器本体内に充填され、容器本体の口部をキャップで閉じられた状態で販売されている。消費者はこのお茶を飲むときはキャップを回して開封し、容器本体の口部に口をつけてお茶飲料を飲んでいた。
しかし、このような従来のお茶飲料は、溶質であるお茶エキスと溶媒である飲料水とを製造工程で混ぜ合わせてペットボトルに充填したものであり、時間の経過とともにお茶の香りや風味が劣化してしまい、消費者がこのお茶のペットボトルを購入してするときには、製造時のお茶飲料の品質を保持することができないという問題があった。
これに対しては、飲料水の充填された容器と固形のお茶エキス（溶質）とをそれぞれ別々に所持し、飲用する際にお茶エキスを容器内の飲料水に溶かすという方法が考えられる。
【発明の開示】
【発明が解決しようとする課題】
【０００３】
しかし、このような方法では、飲料水の充填された容器とお茶エキスを別々に所持するため、一方をなくしてしまう恐れがある。特に、お茶エキスは容器に比べて小さいため、なくしてしまう可能性が高く、必要なときにお茶飲料を飲むことができないという問題が生じる恐れがある。
そこでこの発明の目的は、使用時に溶質を溶かすことが可能な容器を提供することにある。
【課題を解決するための手段】
【０００４】
このため請求項１に記載の発明は、溶媒を貯留した容器であって、
容器本体の上端に形成される口部と、該口部を覆う保持部材と、該保持部材上に載置された溶質と、前記保持部材に当接して該保持部材を破壊する破壊部材とを備えることを特徴とする。
【０００５】
請求項２に記載の発明は、請求項１に記載の容器において、前記保持部材に連続して上方に向かって設けられるとともに外周に雄ネジの形成された円筒部と、該円筒部の雄ネジに係合する雌ネジが内側面に形成されたキャップとを備え、
前記破壊部材は、該破壊部材の上端が前記キャップの天面内側に当接可能であるとともに、前記破壊部材の下端が前記保持部材に当接可能に備えられることを特徴とする。
【０００６】
請求項３に記載の発明は、請求項２に記載の容器において、前記キャップの縁部に前記キャップの回転を阻止するためのスペーサが剥離自在に設けられることを特徴とする。
【０００７】
請求項４に記載の発明は、請求項３に記載の容器において、前記破壊部材が、下端を斜切りにした円筒と、該円筒の上端を覆う押当板とを備えることを特徴とする。
【発明の効果】
【０００８】
請求項１に記載の発明によれば、溶媒を貯留した容器であって、容器本体の上端に形成される口部と、その口部を覆う保持部材と、その保持部材上に載置された溶質と、保持部材に当接してその保持部材を破壊する破壊部材とを備えるので、溶質と溶媒とを別々に所持する手間が省けるとともにいずれかを紛失してしまう恐れを回避することができる。また、破壊部材で保持部材を破壊することによって溶質を溶媒中に落とすので、簡単な構成で溶質を溶媒と混ぜ合わせることができる。
さらに、使用時に溶質を溶かすことが可能な容器を提供することができ、溶質と溶媒とを混ぜ合わせた状態ですぐに飲用または使用することができる。
【０００９】
請求項２に記載の発明によれば、保持部材に連続して上方に向かって設けられるとともに外周に雄ネジの形成された円筒部と、その円筒部の雄ネジに係合する雌ネジが内側面に形成されたキャップとを備え、破壊部材は、その破壊部材の上端がキャップの天面内側に当接可能であるとともに、破壊部材の下端が保持部材に当接可能に備えられるので、キャップを回し込むことによって破壊部材を下方に押込み、さらに押込まれた破壊部材が保持部材を押込んで破壊するので、容易に溶質を溶媒と混ぜ合わせることができる。
【００１０】
請求項３に記載の発明によれば、キャップの縁部にキャップの回転を阻止するためのスペーサが剥離自在に設けられるので、スペーサを剥離したときにのみキャップを回し込むことが可能となり、不用意にキャップを回転させて保持部材を破壊してしまうことを防止することができる。
【００１１】
請求項４に記載の発明によれば、破壊部材が、下端を斜切りにした円筒と、その円筒の上端を覆う押当板とを備えるので、簡単な構成で保持部材を破壊することができる。
【発明を実施するための最良の形態】
【００１２】
以下、図面を参照しつつ、この発明を実施するための最良の形態について詳述する。
図１は、この発明の容器の一例として、容器の上部にお茶エキスを固形状態で備えた飲料容器の断面図である。
容器１は、飲料水（溶媒）２を貯蔵した容器本体３と、容器本体３の上端に係合する保持体６と、保持体６の上部に係合するキャップ５などを備える。なお、キャップ５の内側には固形のお茶エキス（溶質）４を備える。
【００１３】
図２には、容器１の上部拡大断面図を示す。
容器本体３はＰＥＴなどのより形成され、容器本体３の上部外周には雄ネジが形成されている。
保持体６は樹脂の一体成形により形成される。保持体６は、円筒状の保持体下部６Ａと、保持体下部６Ａの上端に連続して形成されたドーナツ板状の保持体中部６Ｂと、保持体中部６Ｂ内側縁から上方に起立して連続的に設けられた保持体上部６Ｃ、および、保持体中部６Ｂの内縁に破断可能な薄肉部１２Ａを介して連続して設けられた円板状の保持部材１２より構成される。なお、薄肉部１２は、保持部材１２の外縁に全周にわたって形成されている。
保持体下部６Ａの内周には容器本体３の上部外周に形成された雄ネジに係合する雌ネジを設ける。一方、保持体上部（円筒部）６Ｃの外周には雄ネジを設ける。
【００１４】
キャップ５は樹脂の一体成形により形成される。キャップ５は、キャップ本体１０とピルファーバンド（スペーサ）１１などで構成される。なお、ピルファーバンド１１は破断可能な薄肉連結部１１Ａを介してキャップ本体１０と連続して形成されている。
キャップ本体１０は円筒状のキャップ側部１０Ｓと、キャップ側部１０Ｓの上端の開口を塞ぐように、キャップ側部１０Ｓの上端に連続して円盤状に形成されたキャップ天部１０Ｕとから構成される。なお、キャップ側部１０Ｓの下部内周には、上記保持体上部６Ｃの外周に設けられた雄ネジに係合する雌ネジを設ける。
【００１５】
ピルファーバンド１１は、キャップ側部１０Ｓの下端に沿って円環状に設けられるが、その円環の一部にピルファーバンド１１を引き剥がすことを容易にするツマミを設けることが望ましい。また、ピルファーバンド１１はキャップ５が不必要にねじ込まれることを防止するためのストッパーの役割をするものであり、ピルファーバンド１１の下端が保持体中部６Ｂに当接するようにキャップ５が配設されることが望ましい。
【００１６】
キャップ５の内側には、押込パーツ（破壊部材）１３を備える。押込パーツ１３は樹脂の一体成形により形成される。
図３に示すように、押込パーツ１３は、下端１３Ｄを斜切りにした下部円筒１３Ａと、その下部円筒１３Ａに連続して設けられた上部円筒１３Ｂと、上部円筒１３Ｂの上端を覆う円盤状の押当板１３Ｃより構成される。
なお、下部円筒１３Ａの内径と上部円筒１３Ｂの内径とは同一寸法である一方、下部円筒１３Ａの外径は上部円筒１３Ｂの外径よりも小さく形成されている。そして、押当板１３Ｃの直径は、上部円筒１３Ｂの外径よりも大きく形成する。
【００１７】
そして、お茶エキス４は保持部材１２上に載置される。このとき、お茶エキス４は押込パーツ１３の内側となるように配設する。
なお、押込パーツ１３は、押当板１３Ｃがキャップ天部１０Ｕの内側面に当接するように、かつ、下部円筒１３Ａの下端１３Ｄの一部が保持部材１２に当接するように配設される。
【００１８】
このように構成された容器１でお茶の飲料を調製する方法について図１〜３を参照しつつ、図４を用いて説明する。
まず、ピルファーバンド１１のツマミを手でつまんでをキャップ５からピルファーバンド１１を剥がす。次に、キャップ本体１０をねじ込む。すると、キャップ天部１０Ｕが押込パーツ１３の押当板１３Ｃの天面１３Ｕを押し、押込パーツ１３が押し下げられる。これによって、保持部材１２に当接している下部円筒１３Ａの下端１３Ｄが保持部材１２の図中左側部分を押して薄肉部１２Ａに押込負荷をかける。これにより、左側部分の薄肉部１２Ａより破断が進行する。
【００１９】
キャップ本体１０をさらにねじ込むと、右側部分の薄肉部１２Ａ近傍に下端１３Ｄが当接するが、左側部分の薄肉部１２Ａはすでに破断されて自由端となっているので、保持部材１２は右側部分の薄肉部１２Ａを支点として矢印方向に垂れ下がり保持体中部６Ｂに支持された状態となる（図４）。
【００２０】
このように保持部材１２の左側部分の薄肉部１２Ａが破断されることによって、お茶エキス４が飲料水２中に落下する。
そして、容器１を手で保持してシェイクし、お茶エキス４を飲料水２に溶解させてお茶飲料を調製する。
お茶エキス４が溶解したら、保持体下部６Ａを把持してねじりながら保持体６を容器本体３から分離させ、容器本体３の上端に口部Ｏを露出させて、この口部Ｏよりお茶エキス４が溶解して調製されたお茶飲料を飲む。
このように、この例の容器を用いるとお茶飲料は飲むときに調製されるので、風味や品質を損なうことなく本来の味を味わうことができる。
【００２１】
以上詳述したように、この発明の容器１は、容器１の上端に形成される口部Ｏと、その口部Ｏを覆う保持部材１２と、その保持部材１２上に載置された固形のお茶エキス（溶質）４と、保持部材１２に当接してその保持部材１２を破壊する押込パーツ（破壊部材）１３とを備える。
また、保持部材１２に連続して上方に向かって設けられるとともに外周に雄ネジの形成された保持体上部（円筒部）６Ｃと、保持体上部６Ｃの雄ネジに係合する雌ネジが内側面に形成されたキャップ５とを備え、押込パーツ１３は、押込パーツ１３の上端（押当板１３Ｃ）がキャップ５の天面１０Ｕ内側に当接可能であるとともに、押込パーツ１３の下端１３Ｄが保持部材１２に当接可能に備えられる。
【００２２】
さらに、キャップ５の縁部にキャップ５の回転を阻止するためのピルファーバンド（スペーサ）１１が剥離自在に設けられる。
加えて、押込パーツ１３が、下端１３Ｄを斜切りにした円筒（下部円筒１３Ａ）と、その円筒（上部円筒１３Ｂ）の上端を覆う押当板１３Ｃとを備える。
【００２３】
なお、上述の例では、お茶飲料を構成する溶質としてお茶エキス４、溶媒として飲料水１を用いたが、この発明はこれに限定されるものではなく、例えば、溶質として固形状のビタミン剤、サプリメントなど、溶媒として加糖飲料、アルコール飲料などを用いてもよい。
また、上述の例では、容器本体３をＰＥＴで、キャップ５および保持体６を樹脂で形成したが、これに限定されるものではなく、例えば、アルミニウム、スチールなどで形成してもよい。
【図面の簡単な説明】
【００２４】
【図１】この発明の容器の一例を示すお茶エキスを備える容器の断面図である。
【図２】図１のキャップ付近の拡大断面図である。
【図３】押込パーツの斜視図である。
【図４】図１の容器のお茶エキスを飲料水内に落下させた状態を示す図である。
【符号の説明】
【００２５】
１      容器
２      飲料水（溶媒）
３      容器本体
４      お茶エキス（溶質）
５      キャップ
６      保持体
６Ａ    保持体下部
６Ｂ    保持体中部
６Ｃ    保持体上部
１０    キャップ本体
１０Ｓ  キャップ側部
１０Ｕ  キャップ天部
１１    ピルファーバンド（ストッパ）
１１Ａ  薄肉連結部
１２Ａ  薄肉部
１２    保持部材
１３    押込パーツ（破壊部材）
１３Ａ  下部円筒
１３Ｂ  上部円筒
１３Ｃ  押当板
１３Ｄ  下端
Ｏ      口部
【図１】
2007001651.tif 000003
【図２】
2007001651.tif 000004
【図３】
2007001651.tif 000005
【図４】
2007001651.tif 000006